(57)【要約】繊維強化樹脂を有するリムを備えたホイールにおいて、強度を確保しつつ、より軽量化が可能な構成を有するホイールを提供する。後輪ホイール４１は、繊維強化樹脂製のリム６０と、ハブ５０と、リム６０及び後輪タイヤ４２の間に形成される環状空間Ｓ内に気体を流入させるバルブ９０と、繊維強化樹脂製のチャンバー部８０と、連結部７０とを備える。チャンバー部８０は、リム６０の一部を構成する繊維強化樹脂製の境界壁部８１と、リム６０に接続される壁部８２と、境界壁部８１及び壁部８２によって区画形成された区画空間Ｐとを有する。チャンバー部８０は、境界壁部８１に区画空間Ｐと環状空間Ｓとを接続する通気孔８１ａが設けられ、壁部８２にバルブ９０が取り付けられるバルブ取付穴８２ａが設けられている。
2018216626.tif 000002
【特許請求の範囲】
【請求項１】
車両に用いられるホイールであって、
タイヤを支持し、樹脂が繊維によって強化された繊維強化樹脂を含む円環状の繊維強化樹脂製リムと、
回転中心に位置するハブと、
前記繊維強化樹脂製リムと該繊維強化樹脂製リムに装着されるタイヤとの間に環状に形成される環状空間内に気体を流入させるためのバルブと、
前記繊維強化樹脂製リムの一部を構成する繊維強化樹脂製の境界壁部と、
前記繊維強化樹脂製リムに接続される繊維強化樹脂製の壁部と、
前記繊維強化樹脂製の境界壁部及び前記繊維強化樹脂製の壁部によって区画形成された区画空間と、を有する繊維強化樹脂製チャンバー部と、
前記ハブと前記繊維強化樹脂製チャンバー部とを径方向に連結する連結部と、
を備え、
前記繊維強化樹脂製チャンバー部は、
前記繊維強化樹脂製の境界壁部に、前記繊維強化樹脂製チャンバー部の前記区画空間と前記環状空間または外部とを接続する通気孔が設けられ、
前記繊維強化樹脂製の壁部に、前記バルブが取り付けられるバルブ取付穴が設けられている、ホイール。
【請求項２】
請求項１に記載のホイールにおいて、
前記繊維強化樹脂製の壁部は、前記繊維強化樹脂製リムに沿って周方向に繋がった円環状である、ホイール。
【請求項３】
請求項１または２に記載のホイールにおいて、
前記繊維強化樹脂製の壁部は、前記繊維強化樹脂製リムから前記径方向の内方に延びていて、
前記繊維強化樹脂製チャンバー部における前記区画空間は、前記繊維強化樹脂製リムよりも前記径方向の内方に位置する、ホイール。
【請求項４】
請求項１から３のいずれか一つに記載のホイールにおいて、
前記繊維強化樹脂製チャンバー部は、前記区画空間における前記径方向の寸法が前記車両の左右方向の寸法よりも大きくなるように形成されている、ホイール。
【請求項５】
請求項１から４のいずれか一つに記載のホイールにおいて、
前記繊維強化樹脂製の壁部は、前記繊維強化樹脂製リムから前記径方向の内方に延びる繊維強化樹脂製の縦壁部を有し、
前記バルブ取付穴は、前記繊維強化樹脂製の縦壁部を前記車両の左右方向に貫通して、前記繊維強化樹脂製チャンバー部の前記区画空間と外部とを接続し、
前記通気孔は、前記繊維強化樹脂製の境界壁部を前記径方向に貫通して、前記環状空間と前記区画空間とを接続する、ホイール。
【請求項６】
請求項１から４のいずれか一つに記載のホイールにおいて、
前記繊維強化樹脂製の壁部は、前記繊維強化樹脂製リムから前記径方向の内方に延びる繊維強化樹脂製の縦壁部を有し、
前記バルブ取付穴は、前記繊維強化樹脂製の縦壁部によって囲まれた空間により構成され、
前記通気孔は、前記繊維強化樹脂製の境界壁部を前記径方向に貫通して、前記環状空間と前記区画空間とを接続する、ホイール。
【請求項７】
請求項１から４のいずれか一つに記載のホイールにおいて、
前記繊維強化樹脂製の壁部は、前記繊維強化樹脂製の境界壁部よりも前記径方向の外方で前記車両の左右方向に延びて、前記繊維強化樹脂製の境界壁部との間に前記区画空間を区画形成する繊維強化樹脂製の横壁部を有し、
前記バルブ取付穴は、前記繊維強化樹脂製の横壁部を前記径方向に貫通して、前記繊維強化樹脂製チャンバー部の前記区画空間と前記環状空間とを接続し、
前記通気孔は、前記繊維強化樹脂製の境界壁部を前記径方向に貫通して、前記区画空間と外部とを接続する、ホイール。
【請求項８】
請求項１から７のいずれか一つに記載のホイールにおいて、
前記繊維強化樹脂製チャンバー部は、樹脂が繊維によって強化された繊維強化樹脂によって前記繊維強化樹脂製リムと一体に構成されている、ホイール。
【請求項９】
請求項１から８のいずれか一つに記載のホイールにおいて、
前記連結部は、円盤状である、ホイール。
【請求項１０】
請求項１から９のいずれか一つに記載のホイールにおいて、
前記繊維強化樹脂製リム、前記繊維強化樹脂製チャンバー部、前記ハブ及び前記連結部は、樹脂が繊維によって強化された繊維強化樹脂によって一体に構成されている、ホイール。
【請求項１１】
請求項１から１０のいずれか一つに記載のホイールを備えた車両。
【発明の詳細な説明】
【技術分野】
【０００１】
本発明は、車両に用いられるホイールに関する。
【背景技術】
【０００２】
車両に採用可能な繊維強化樹脂製のリムを備えたホイールが知られている。例えば、特許文献１には、リムと、ハブと、リム及びハブを連結するフランジとが、繊維強化樹脂によって一体に成形された車輪が開示されている。【０００３】
前記特許文献１に開示されている車輪では、繊維強化樹脂を用いることにより、金属製の車輪よりも軽量化を図れる。また、前記特許文献１に開示されている車両では、リムは、補強用連続繊維または補強用織物によって樹脂が円周方向に強化された層と、補強用短繊維を使用した層とを有する層状体によって構成されている。これにより、前記車輪は、高い強度及び剛性を有する。【０００４】
したがって、前記特許文献１に開示されている車輪では、軽量化及び強度確保を両立している。
【先行技術文献】
【特許文献】
【０００５】
【特許文献１】特開昭６１−１３５８０１号公報
【発明の概要】
【発明が解決しようとする課題】
【０００６】
上述のように、ホイールを繊維強化樹脂によって構成することにより、強度を確保しつつ、ホイールの軽量化を図れる。しかしながら、近年では、ホイールの強度を確保しつつ、ホイールのさらなる軽量化が望まれている。【０００７】
本発明は、繊維強化樹脂を含むリムを備えたホイールにおいて、強度を確保しつつ、より軽量化が可能な構成を有するホイールを提供することを目的とする。
【課題を解決するための手段】
【０００８】
まず、本発明者は、強度を確保しつつホイールをさらに軽量化するために、ホイールの肉厚を小さくすることを検討した。その結果、本発明者は、以下の点を見出した。【０００９】
繊維強化樹脂を含むリム（以下、繊維強化樹脂製リム）は、ホイールを径方向に切断した際の断面（以下、径方向断面という）で見て、前記ホイールの幅方向（車両の左右方向）にそれぞれ突出した支持部を有する。そのため、ホイールに対して径方向に力を加えた場合、繊維強化樹脂製リムには、該リムの幅方向（車両の左右方向）の両端部、すなわち前記支持部の先端部をホイールの径方向に変位させるような力が作用する。【００１０】
よって、本発明者は、前記ホイールに対して上述のような力が作用した際に繊維強化樹脂製リムの強度を確保しようとすると、前記ホイールの肉厚を小さくすることは困難であることに気づいた。【００１１】
具体的には、本発明者は、バルブを取り付けるために繊維強化樹脂製リムに設けられたバルブ穴の周辺で、バルブ穴が設けられていない部分に比べて繊維強化樹脂製リムの強度が低下することが分かった。すなわち、本発明者は、繊維強化樹脂製リムに含まれる繊維強化樹脂中の繊維が、前記バルブ穴の周辺で切断されるため、切断されていない部分に比べて繊維強化樹脂製リムの強度が前記バルブ穴の周辺で低下する点に気づいた。【００１２】
繊維強化樹脂製リムにバルブを取り付ける場合、バルブ穴として、繊維強化樹脂製リムにバルブを取り付け可能なサイズ（例えば、直径８．５ｍｍまたは１１．５ｍｍ）の穴を設ける必要がある。このようなサイズのバルブ穴を繊維強化樹脂製リムに設けた場合には、上述のように、穴がない部分に比べて繊維強化樹脂製リムの強度が低下する。また、バルブを繊維強化樹脂製リムに取り付ける場合、繊維強化樹脂製リムにバルブを取り付けるためにバルブ穴の周りに座面を形成する必要がある。そうすると、繊維強化樹脂製リムに座面を形成した部分で繊維強化樹脂製リムの厚みが小さくなる。この場合、座面を形成していない部分に比べて繊維強化樹脂製リムの強度は低下する。【００１３】
これに対し、繊維強化樹脂製リムに設けるバルブ穴のサイズを小さくすることにより、バルブ穴のサイズが大きい場合に比べて繊維強化樹脂製リムの強度低下を抑制できる。しかしながら、バルブのサイズは決まっているため、バルブ穴のサイズを小さくすると、前記バルブ穴に前記バルブを取り付けることができなくなる。また、繊維強化樹脂製リムに設けるバルブ穴の周りの座面部分の厚みを大きくすることにより、繊維強化樹脂製リムの強度低下を防止できる。しかしながら、バルブ穴の周りの座面部分の厚みのサイズは決まっているため、バルブ穴の周りの座面部分の厚みを大きくすると、前記バルブ穴に前記バルブを取り付けることができなくなる。よって、バルブ穴を繊維強化樹脂製リムに設けつつ繊維強化樹脂製リムの強度を確保して、繊維強化樹脂製リムの肉厚を小さくすることは困難であった。【００１４】
繊維強化樹脂製リムを備えたホイールにおいて、強度を確保しつつ、より軽量化するために、バルブ穴の構成を工夫した。具体的には、本発明者は、以下のような構成に想到した。【００１５】
本発明の一実施形態に係るホイールは、車両に用いられるホイールである。タイヤを支持し、樹脂が繊維によって強化された繊維強化樹脂を含む円環状の繊維強化樹脂製リムと、回転中心に位置するハブと、前記繊維強化樹脂製リムと該繊維強化樹脂製リムに装着されるタイヤとの間に環状に形成される環状空間内に気体を流入させるためのバルブと、前記繊維強化樹脂製リムの一部を構成する繊維強化樹脂製の境界壁部と、前記繊維強化樹脂製リムに接続される繊維強化樹脂製の壁部と、前記繊維強化樹脂製の境界壁部及び前記繊維強化樹脂製の壁部によって区画形成された区画空間と、を有する繊維強化樹脂製チャンバー部と、前記ハブと前記繊維強化樹脂製チャンバー部とを径方向に連結する連結部と、を備える。前記繊維強化樹脂製チャンバー部は、前記繊維強化樹脂製の境界壁部に、前記繊維強化樹脂製チャンバー部の前記区画空間と前記環状空間または外部とを接続する通気孔が設けられ、前記繊維強化樹脂製の壁部に、前記バルブが取り付けられるバルブ取付穴が設けられている。【００１６】
これにより、繊維強化樹脂を含む繊維強化樹脂製リムを備えたホイールにおいて、該ホイールに対して径方向に力が作用した場合でも、前記繊維強化樹脂製リムの境界壁部に設けられた通気孔の周辺部分で強度を確保することができる。【００１７】
すなわち、前記ホイールに対して径方向に力が作用した場合、リムにおいてタイヤを支持する部分には、先端部が前記径方向に変位するような力を受ける。前記リムにバルブを取り付けるためのバルブ穴が設けられている構成では、前記バルブ穴の周辺部分の強度が低下している。そのため、前記リムが上述のような力を受けた場合、前記バルブ穴の周辺部分が変形する可能性がある。特に、前記リムが、樹脂が繊維によって強化された繊維強化樹脂を含む繊維強化樹脂製リムの場合には、前記バルブ穴の周辺部分で前記繊維が切断されているため、前記バルブ穴の周辺部分の強度がより低下する。【００１８】
これに対し、上述の構成では、繊維強化樹脂製リムの一部を構成し且つ前記繊維強化樹脂製リムとタイヤとの間の環状空間を区画する繊維強化樹脂製の境界壁部と、前記繊維強化樹脂製リムから径方向内方に延びる繊維強化樹脂製の壁部とによって区画形成された区画空間を有する繊維強化樹脂製チャンバー部を設ける。そして、前記繊維強化樹脂製リムの境界壁部に、前記区画空間と前記環状空間とを接続する通気孔を設ける。また、前記繊維強化樹脂製の壁部に、前記区画空間と外部とを接続し、バルブが貫通するバルブ取付穴を設ける。これにより、前記通気孔の周辺部分において強度を確保できる。よって、前記繊維強化樹脂製リムが上述のような力を受けた場合でも、前記繊維強化樹脂製リムの構造が変化することを防止できる。【００１９】
しかも、前記繊維強化樹脂製リムは、樹脂が繊維によって強化された繊維強化樹脂を含むため、金属製のリムに比べて、軽量化を図れる。【００２０】
したがって、上述の構成により、強度を確保しつつホイールの軽量化を図れるような構成が得られる。【００２１】
他の観点によれば、本発明のホイールは、以下の構成を含むことが好ましい。前記繊維強化樹脂製の壁部は、前記繊維強化樹脂製リムに沿って周方向に繋がった円環状である。【００２２】
これにより、繊維強化樹脂製の境界壁部とともに繊維強化樹脂製チャンバー部の区画空間を区画形成する壁部は、繊維強化樹脂製リムの周方向及び径方向に十分な強度を有する。よって、前記繊維強化樹脂製チャンバー部は、前記周方向及び前記径方向に十分な強度を有する。したがって、ホイールの強度を確保できる。【００２３】
他の観点によれば、本発明のホイールは、以下の構成を含むことが好ましい。前記繊維強化樹脂製の壁部は、前記繊維強化樹脂製リムから前記径方向の内方に延びている。前記繊維強化樹脂製チャンバー部における前記区画空間は、前記繊維強化樹脂製リムよりも前記径方向の内方に位置する。【００２４】
これにより、繊維強化樹脂製チャンバー部によって、ホイールの径方向の断面係数を大きくすることができるため、前記ホイールの強度を向上できる。【００２５】
他の観点によれば、本発明のホイールは、以下の構成を含むことが好ましい。前記繊維強化樹脂製チャンバー部は、前記区画空間における前記径方向の寸法が前記車両の左右方向の寸法よりも大きくなるように形成されている。【００２６】
これにより、ホイールの径方向において、繊維強化樹脂製チャンバー部の強度を向上できる。よって、前記ホイールの径方向の強度を向上できる。【００２７】
他の観点によれば、本発明のホイールは、以下の構成を含むことが好ましい。前記繊維強化樹脂製の壁部は、前記繊維強化樹脂製リムから前記径方向の内方に延びる繊維強化樹脂製の縦壁部を有する。前記バルブ取付穴は、前記繊維強化樹脂製の縦壁部を前記車両の左右方向に貫通して、前記繊維強化樹脂製チャンバー部の前記区画空間と外部とを接続する。前記通気孔は、前記繊維強化樹脂製の境界壁部を、前記径方向に貫通して、前記環状空間と前記区画空間とを接続する。【００２８】
これにより、繊維強化樹脂製リムに対して径方向に力が加わった場合でも、バルブ取付穴の周辺部分に大きな力が加わることを防止できる。よって、ホイールの強度向上を図れる。【００２９】
他の観点によれば、本発明のホイールは、以下の構成を含むことが好ましい。前記繊維強化樹脂製の壁部は、前記繊維強化樹脂製リムから前記径方向の内方に延びる繊維強化樹脂製の縦壁部を有する。前記バルブ取付穴は、前記繊維強化樹脂製の縦壁部によって囲まれた空間により構成されている。前記通気孔は、前記繊維強化樹脂製の境界壁部を前記径方向に貫通して、前記環状空間と前記区画空間とを接続する。【００３０】
このような構成によっても、強度を確保しつつホイールの軽量化を図れるような構成が得られる。【００３１】
他の観点によれば、本発明のホイールは、以下の構成を含むことが好ましい。前記繊維強化樹脂製の壁部は、前記繊維強化樹脂製の境界壁部よりも前記径方向の外方で前記車両の左右方向に延びて、前記繊維強化樹脂製の境界壁部との間に前記区画空間を区画形成する繊維強化樹脂製の横壁部を有する。前記バルブ取付穴は、前記繊維強化樹脂製の横壁部を前記径方向に貫通して、前記繊維強化樹脂製チャンバー部の前記区画空間と前記環状空間とを接続する。前記通気孔は、前記繊維強化樹脂製の境界壁部を前記径方向に貫通して、前記区画空間と外部とを接続する。【００３２】
このような構成によっても、強度を確保しつつホイールの軽量化を図れるような構成が得られる。【００３３】
他の観点によれば、本発明のホイールは、以下の構成を含むことが好ましい。前記繊維強化樹脂製チャンバー部は、樹脂が繊維によって強化された繊維強化樹脂によって前記繊維強化樹脂製リムと一体に構成されている。【００３４】
繊維強化樹脂製チャンバー部及び繊維強化樹脂製リムを、繊維強化樹脂によって一体に構成することにより、ホイールの強度をより向上できるとともに、前記ホイールをより軽量化できる。【００３５】
他の観点によれば、本発明のホイールは、以下の構成を含むことが好ましい。前記連結部は、円盤状である。これにより、連結部の強度を、ホイールの全周で向上できる。よって、ホイールの強度をより確実に向上できる。【００３６】
他の観点によれば、本発明のホイールは、以下の構成を含むことが好ましい。前記繊維強化樹脂製リム、前記繊維強化樹脂製チャンバー部、前記ハブ及び前記連結部は、樹脂が繊維によって強化された繊維強化樹脂によって一体に構成されている。【００３７】
これにより、ホイールの強度をより向上できるとともに、前記ホイールをより軽量化できる。【００３８】
本明細書で使用される専門用語は、特定の実施例のみを定義する目的で使用されるのであって、前記専門用語によって発明を制限する意図はない。【００３９】
本明細書で使用される「及び／または」は、一つまたは複数の関連して列挙された構成物のすべての組み合わせを含む。【００４０】
本明細書において、「含む、備える（ｉｎｃｌｕｄｉｎｇ）」「含む、備える（ｃｏｍｐｒｉｓｉｎｇ）」または「有する（ｈａｖｉｎｇ）」及びそれらの変形の使用は、記載された特徴、工程、要素、成分、及び／または、それらの等価物の存在を特定するが、ステップ、動作、要素、コンポーネント、及び／または、それらのグループのうちの１つまたは複数を含むことができる。【００４１】
本明細書において、「取り付けられた」、「接続された」、「結合された」、及び／または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。【００４２】
他に定義されない限り、本明細書で使用される全ての用語（技術用語及び科学用語を含む）は、本発明が属する技術分野の当業者によって一般的に理解される意味と同じ意味を有する。【００４３】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。【００４４】
本発明の説明においては、いくつもの技術及び工程が開示されていると理解される。これらの各々は、個別の利益を有し、他に開示された技術の１つ以上、または、場合によっては全てと共に使用することもできる。【００４５】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。【００４６】
本明細書では、本発明に係るホイールの実施形態について説明する。【００４７】
以下の説明では、本発明の完全な理解を提供するために多数の具体的な例を述べる。しかしながら、当業者は、これらの具体的な例がなくても本発明を実施できることが明らかである。【００４８】
よって、以下の開示は、本発明の例示として考慮されるべきであり、本発明を以下の図面または説明によって示される特定の実施形態に限定することを意図するものではない。【００４９】
＜繊維強化樹脂製の定義＞
本明細書において、繊維強化樹脂製とは、樹脂が繊維によって強化された繊維強化樹脂のみによって部品が構成されている場合だけでなく、繊維強化樹脂に加えて、繊維強化樹脂以外の材料も用いて部品が構成されている場合も含む。【００５０】
＜区画の定義＞
本明細書において、区画とは、壁等によって空間が複数に仕切られることを意味する。区画は、壁等によって密閉空間が形成される場合だけでなく、空間として分離されていれば、空間の一部が他の空間と繋がっている場合も含む。【００５１】
本発明の適用対象は、自動二輪車に限らない。本発明は、三輪車、四輪車など、自動二輪車以外の車両に適用してもよい。
【発明の効果】
【００５２】
本発明の一実施形態によれば、繊維強化樹脂製リムを備えたホイールにおいて、強度を確保しつつ、より軽量化が可能な構成を有するホイールを提供することができる。
【図面の簡単な説明】
【００５３】
【図１】図１は、本発明の実施形態１に係る車両の全体構成の概略を示す左側面図である。
【図２】図２は、車両の左側面図、及び、該左側面図におけるＡ−Ａ線断面図である。
【図３】図３は、後輪ホイールの概略構成を示す斜視図である。
【図４】図４は、図３におけるＩＶ−ＩＶ線断面図である。
【図５】図５は、後輪タイヤに力が入力された場合に、後輪ホイールのリムが受ける力を模式的に示す図である。
【図６】図６は、実施形態２に係る車両の後輪ホイールの概略構成を示す断面図である。
【図７】図７は、実施形態３に係る車両の後輪ホイールの概略構成を示す断面図である。
【発明を実施するための形態】
【００５４】
以下で、実施形態について、図面を参照しながら説明する。各図において、同一部分には同一の符号を付して、その同一部分の説明は繰り返さない。なお、各図中の構成部材の寸法は、実際の構成部材の寸法及び各構成部材の寸法比率等を忠実に表したものではない。
【００５５】
以下、図中の矢印Ｆは、車両の前方向を示す。図中の矢印ＲＲは、車両の後方向を示す。図中の矢印Ｕは、車両の上方向を示す。図中の矢印Ｌは、車両の左方向を示す。図中の矢印Ｒは、車両の右方向を示す。また、以下の説明において前後左右の方向は、それぞれ、車両を運転する乗員から見た場合の前後左右の方向を意味する。
【００５６】
［実施形態１］
＜全体構成＞
図１は、実施形態１に係る車両１の全体構成の概略を示す左側面図である。図２は、車両１の左側面図及び後輪ホイール４１の断面図である。図２における車両１の左側面図は、図１と同様であるため、以下では、図１を参照して、車両１の構成について説明する。なお、図２における後輪ホイール４１の断面図は、図４と同様である。後輪ホイール４１の構成は後述する。
【００５７】
車両１は、例えば、自動二輪車であり、車体２と、前輪３と、後輪４とを備える。車体２は、前輪３、後輪４、ハンドル６、シート７及びパワーユニット８等の各構成部品を支持する。本実施形態では、車体２は、フレーム１０と、一対のフロントフォーク１５と、リアアーム１６とを含む。
【００５８】
フレーム１０は、ヘッドパイプ１１と、メインフレーム１２とを有する。ヘッドパイプ１１は、車両１の前部に位置し、ハンドル６に接続されたステアリングシャフト（図示省略）を回転可能に支持する。メインフレーム１２は、ヘッドパイプ１１から車両後方に向かって延びるように、ヘッドパイプ１１に接続されている。メインフレーム１２には、パワーユニット８等が支持されている。
【００５９】
フレーム１０は、金属材料によって構成されていてもよいし、炭素繊維などの繊維によって樹脂が強化された繊維強化樹脂によって構成されていてもよい。
【００６０】
一対のフロントフォーク１５は、前輪３の左方及び右方に配置され、前輪３から上方且つ後方に延びている。各フロントフォーク１５の上端部は、ハンドル６に接続されている。各フロントフォーク１５の下端部は、前輪３を回転可能に支持している。
【００６１】
リアアーム１６は、メインフレーム１２の後部から後方に伸びている。リアアーム１６の前端部は、メインフレーム１２の後部に、上下方向に回転可能に接続されている。リアアーム１６の後端部は、後輪４を回転可能に支持している。なお、リアアーム１６とメインフレーム１２とは、リアサスペンション１７によって接続されている。
【００６２】
前輪３は、前輪ホイール３１と、前輪タイヤ３２とを有する。前輪ホイール３１は、一対のフロントフォーク１５の下端部に、回転可能に支持されている。本実施形態では、前輪ホイール３１は、従来と同様、例えば金属製のホイールである。前輪タイヤ３２は、前輪ホイール３１の外周面上に配置されている。
【００６３】
前輪ホイール３１には、回転中心に、前輪ブレーキの一部を構成する前輪ブレーキディスク３３が取り付けられている。前輪ブレーキディスク３３は、円盤状であり、前輪ホイール３１とともに回転する。なお、前輪ブレーキディスク３３の外周部には、前輪ブレーキの動作時に前輪ブレーキディスク３３を把持する前輪キャリパ３４が配置されている。
【００６４】
後輪４は、後輪ホイール４１（ホイール）と、後輪タイヤ４２（タイヤ）とを有する。後輪ホイール４１は、リアアーム１６の後端部に、回転可能に支持されている。本実施形態では、後輪ホイール４１は、樹脂が炭素繊維によって強化された炭素繊維強化樹脂によって構成されている。後輪タイヤ４２は、後輪ホイール４１の外周面上に配置されている。
【００６５】
後輪ホイール４１にも、回転中心に、後輪ブレーキの一部を構成する後輪ブレーキディスク４３が取り付けられている。後輪ブレーキディスク４３は、円盤状であり、後輪ホイール４１とともに回転する。なお、前輪３と同様、後輪ブレーキディスク４３の外周部には、後輪ブレーキの動作時に後輪ブレーキディスク４３を把持する後輪キャリパ４４が配置されている。
【００６６】
＜後輪ホイール＞
次に、後輪ホイール４１の具体的な構成を、図３及び図４を用いて説明する。図３は、後輪ホイール４１の概略構成を示す斜視図である。図４は、図３におけるＩＶ−ＩＶ線断面図である。
【００６７】
図３及び図４に示すように、後輪ホイール４１は、後輪４の回転中心に位置する回転軸Ｒの軸線方向から見て、円形状である。後輪ホイール４１は、前記軸線方向から見て、中心が回転軸Ｒと一致するように配置されている。なお、後輪４の回転軸Ｒの軸線方向は、車両１の左右方向と一致している。
【００６８】
後輪ホイール４１は、後輪４の回転中心に位置するハブ５０と、後輪ホイール４１の径方向外周部に位置する円環状のリム６０（繊維強化樹脂製リム）と、リム６０の径方向内方に位置するチャンバー部８０（繊維強化樹脂製チャンバー部）と、ハブ５０とチャンバー部８０とを連結する連結部７０とを有する。本実施形態の後輪ホイール４１は、連結部７０が円盤状である、いわゆるディッシュホイールである。
【００６９】
ハブ５０は、後輪ホイール４１の回転中心に位置する。図４に示すように、ハブ５０は、左ハブ部５１と、右ハブ部５２とを有する。左ハブ部５１は、後輪ホイール４１の左右方向の中心よりも左方に位置する。右ハブ部５２は、前記左右方向の中心よりも右方に位置する。左ハブ部５１及び右ハブ部５２は、それぞれ、円環状且つ板状であり、厚み方向が前記左右方向に一致するように配置されている。
【００７０】
左ハブ部５１には、左側部に左側ハブ接続部材５３が接続されている。右ハブ部５２には、右側部に右側ハブ接続部材５４が接続されている。左側ハブ接続部材５３及び右側ハブ接続部材５４は、それぞれ円盤状であり、厚み方向が前記左右方向に一致するようにハブ５０に取り付けられている。左側ハブ接続部材５３及び右側ハブ接続部材５４は、ハブ５０を挿通する連結パイプ５５によって、左右方向に連結されている。連結パイプ５５内には、図示しない車軸が挿通している。これにより、ハブ５０は、左側ハブ接続部材５３、右側ハブ接続部材５４及び連結パイプ５５を介して、図示しない車軸に回転可能に支持される。
【００７１】
なお、特に図示しないが、右側ハブ接続部材５４には、パワーユニットの動力を伝達するチェーンと噛み合うスプロケットが取り付けられている。これにより、パワーユニットの動力がチェーンを介して後輪ホイール４１に伝達される。
【００７２】
本実施形態では、左側ハブ接続部材５３、右側ハブ接続部材５４及び連結パイプ５５は、それぞれ、金属製の部材である。
【００７３】
連結部７０は、後輪ホイール４１の径方向の断面で見て、ハブ５０からチャンバー部８０に向かって徐々に幅が狭くなるように形成されている。すなわち、連結部７０は、前記径方向の断面で見て、チャンバー部８０との連結部分における幅がハブ５０との連結部分における幅よりも小さい。これにより、連結部７０におけるチャンバー部８０との連結部分の右方に後輪キャリパ４４を配置することができる。よって、後輪キャリパ４４を後輪４に対して左右方向にコンパクトに配置できる。
【００７４】
詳しくは、連結部７０は、左連結部７１と、右連結部７２とを有する。左連結部７１は、左ハブ部５１とチャンバー部８０とを連結する。右連結部７２は、右ハブ部５２とチャンバー部８０とを連結する。左連結部７１及び右連結部７２は、それぞれ板状であり、後輪ホイール４１の径方向の断面で見て、ハブ５０からチャンバー部８０に向かうほど間隔が狭くなるように設けられている。左連結部７１と右連結部７２との間には、空間が形成されている。
【００７５】
リム６０は、後輪ホイール４１を径方向の断面で見て、後輪ホイール４１の左右方向の中央から左右方向に延びている。すなわち、リム６０は、前記左右方向の中央から左方且つ前記径方向の外方に延びる左リム部６１と、前記左右方向の中央から右方且つ前記径方向の外方に延びる右リム部６２とを有する。リム６０において、左リム部６１及び右リム部６２は一体で形成されている。リム６０において、左リム部６１と右リム部６２との接続部分は、前記径方向の内方に凹んでいる。
【００７６】
左リム部６１は、前記径方向の断面で見て、連結部７０よりも左方に突出している。右リム部６２は、前記径方向の断面で見て、連結部７０よりも右方に突出している。左リム部６１及び右リム部６２は、前記径方向の断面で見て、左右対称である。
【００７７】
左リム部６１及び右リム部６２の径方向外方に、後輪タイヤ４２が配置される。具体的には、左リム部６１及び右リム部６２の径方向外周部には、後輪タイヤ４２の内周部が接触する。これにより、リム６０と後輪タイヤ４２との間には、リム６０に沿って環状に延びる環状空間Ｓが形成される。
【００７８】
左リム部６１は、左端部に、径方向外方に突出した突出部６１ａを有する。右リム部６２は、右端部に、径方向外方に突出した突出部６２ａを有する。すなわち、リム６０の左右方向の両端部には、突出部６１ａ，６２ａが位置する。後輪タイヤ４２の内周部は、左右方向において、リム６０における突出部６１ａと突出部６２ａとの間に配置されている。
【００７９】
後輪ホイール４１は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂によって構成されている。本実施形態では、前記炭素繊維は、厚み方向に複数積層された繊維シートを含む。この繊維シート（繊維）の積層方向は、後輪ホイール４１を構成する各壁の厚み方向である。前記繊維シートは、繊維を例えば編んだり固めたりすることによって、シート状（平面状）に形成された部材を意味する。
【００８０】
本実施形態では、ハブ５０、リム６０、連結部７０及びチャンバー部８０は、炭素繊維樹脂によって構成されている。また、ハブ５０、リム６０、連結部７０及びチャンバー部８０は、一体で形成されている。
【００８１】
上述の構成において、図５に示すように、後輪タイヤ４２に上方向に力が入力された場合（図５の白抜き矢印）、後輪タイヤ４２からリム６０の左右方向の両端部に力が入力される（図５の実線矢印）。すなわち、左リム部６１の左端部及び右リム部６２の右端部には、上方向の力が入力される。これにより、リム６０における左右方向の中央部には、引張応力が生じる。
【００８２】
一般的に、リムには、リムと後輪タイヤとの間の環状空間内に空気を供給するためのバルブが取り付けられている。そのため、前記リムには、前記バルブを取り付けるための貫通穴が形成されている。上述のように、樹脂が炭素繊維によって強化された炭素繊維強化樹脂によって構成された後輪ホイール４１の場合、リムにおいてバルブを取り付けるための貫通穴が設けられた部分では、炭素繊維が分断される。そのため、前記リムにおける前記貫通穴の周辺部分では、貫通穴が設けられていない部分に比べて強度が低下する。このような構成において、上述のように、後輪タイヤからリムの左右方向の両端部に力が入力された場合、前記リムにおいて十分な強度が得られない可能性がある。
【００８３】
これに対し、本実施形態では、リム６０に直接、バルブを取り付けずに、リム６０には通気孔８１ａのみを設けるとともに、リム６０の径方向内方に位置するチャンバー部８０にバルブ９０が取り付けられている。
【００８４】
詳しくは、後輪ホイール４１は、リム６０の径方向内方で、且つ、リム６０の左右方向の中央部分と連結部７０との間に、チャンバー部８０を有する。図４に示すように、チャンバー部８０は、リム６０の左右方向の中央部分を構成し、環状空間Ｓの一部を区画する境界壁部８１と、リム６０から径方向内方に延びる一対の壁部８２，８３（縦壁部）と、壁部８２，８３同士を連結する連結壁部８４とを有する。チャンバー部８０は、境界壁部８１と、壁部８２，８３と、連結壁部８４とによって区画形成された区画空間Ｐを有する。すなわち、後輪ホイール４１は、リム６０と連結部７０との間に、区画空間Ｐを有する。なお、区画空間Ｐは、後輪ホイール４１のリム６０の径方向内方に、周方向全周に円環状に形成されていてもよいし、周方向の一部のみに形成されていてもよい。
【００８５】
上述のようなチャンバー部８０を、リム６０の径方向内方に設けることにより、後輪ホイール４１の径方向の断面において、断面係数を大きくすることができる。よって、後輪ホイール４１の強度を向上できる。
【００８６】
境界壁部８１は、リム６０において左リム部６１の右端部及び右リム部６２の左端部によって構成されている。境界壁部８１は、リム６０において前記径方向の内方に凹んだ部分に位置する。
【００８７】
一対の壁部８２，８３は、左右方向に平行に配置されている。一対の壁部８２，８３は、径方向の寸法が同等である。また、一対の壁部８２，８３の径方向寸法は、一対の壁部８２，８３の間隔よりも大きい。よって、チャンバー部８０の区画空間Ｐは、径方向の寸法が左右方向の寸法よりも大きい。これにより、後輪ホイール４１の径方向において、チャンバー部８０の強度を向上することができる。よって、後輪ホイール４１の径方向の強度を向上することができる。
【００８８】
一対の壁部８２，８３は、リム６０に沿って周方向に繋がった円環状である。これにより、境界壁部８１及び連結壁部８４とともに区画空間Ｐを区画形成する壁部８２，８３は、リム６０の周方向及び径方向に十分な強度を有する。よって、チャンバー部８０の強度を確保することができる。
【００８９】
境界壁部８１には、境界壁部８１を径方向に貫通する通気孔８１ａが設けられている。通気孔８１ａは、環状空間Ｓと区画空間Ｐとを接続する。この通気孔８１ａは、バルブ９０が取り付けられる後述のバルブ取付穴８２ａよりも小さい。通気孔８１ａは、リム６０を径方向の断面で見て、リム６０の左右方向の中央部分に設けられている。
【００９０】
一対の壁部８２，８３のうち一方の壁部８２には、壁部８２を左右方向に貫通するバルブ取付穴８２ａが設けられている。バルブ取付穴８２ａは、区画空間Ｐと外部とを接続する。バルブ取付穴８２ａには、バルブ９０が取り付けられている。
【００９１】
詳しくは、バルブ９０は、バルブ本体９１と、カラー９２とを有する。バルブ本体９１は、カラー９２を介してバルブ取付穴８２ａの周縁部に取り付けられる。カラー９２は、例えばアルミ合金などの金属材料によって構成されていて、バルブ取付穴８２ａの周縁部に接着剤等によって固定されている。カラー９２には、バルブ本体９１が取り付けられる。すなわち、カラー９２は、バルブ本体９１を壁部８２におけるバルブ取付穴８２ａの周縁部に取り付けるための取り付け部材として機能する。
【００９２】
上述のように、チャンバー部８０において、バルブ９０を取り付けるためのバルブ取付穴８２ａを、後輪タイヤ４２とリム６０との間の環状空間Ｓと区画空間Ｐとを接続する通気孔８１ａとは別に設けることにより、後輪ホイール４１の強度低下を防止できる。すなわち、上述の構成により、リム６０の一部を構成する境界壁部８１に設けられる通気孔８１ａを、バルブ９０を取り付け可能なサイズにする必要がなくなる。よって、通気孔及びバルブ取付穴の形状、サイズ、位置及び数等の設計自由度を向上できるとともに、リム６０の強度低下を防止できる。したがって、後輪ホイール４１の強度低下を防止できる。
【００９３】
しかも、後輪ホイール４１は、樹脂が炭素繊維によって強化された炭素繊維強化樹脂によって構成されている。すなわち、ハブ５０、リム６０及び連結部７０は、樹脂が炭素繊維によって強化された炭素繊維強化樹脂によって、一体に形成されている。また、チャンバー部８０は、樹脂が炭素繊維によって強化された炭素繊維強化樹脂によって、リム６０と一体に形成されている。これにより、金属製のホイールに比べて、後輪ホイール４１の軽量化を図れる。
【００９４】
したがって、上述の構成により、強度を確保しつつ軽量化を図れるホイールが得られる。
【００９５】
［実施形態２］
図６に、実施形態２に係る後輪ホイール１４１の断面図を示す。この実施形態２における後輪ホイール１４１は、チャンバー部１８０の構成及びバルブ９０の取り付け構造が、実施形態１の構成とは異なる。よって、以下では、実施形態１と同様の構成には同一の符号を付して説明を省略し、異なる部分についてのみ説明する。
【００９６】
図６に示すように、チャンバー部１８０は、リム６０の一部を構成する境界壁部８１と、リム６０から径方向内方に延びる一対の壁部１８２，１８３（縦壁部）とを有する。壁部１８２，１８３は、径方向内方の端部で連結されていない。よって、チャンバー部１８０は、径方向内周部に開口を有する。この開口にバルブ９０が取り付けられる。すなわち、前記開口が、バルブ９０のバルブ取付穴１８０ａである。バルブ取付穴１８０ａは、チャンバー部１８０に径方向内方に向かって開口している。すなわち、バルブ取付穴１８０ａは、区画空間Ｐと外部とを接続する。実施形態１のバルブ９０と同様、バルブ取付穴１８０ａには、バルブ９０のカラー９２が装着されている。
【００９７】
チャンバー部１８０の境界壁部８１及び壁部１８２，１８３は、実施形態１と同様、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂によって構成されている。本実施形態でも、前記炭素繊維は、厚み方向に複数積層された繊維シートを含む。この繊維シート（繊維）の積層方向は、後輪ホイール１４１を構成する各壁の厚み方向である。前記繊維シートは、繊維を例えば編んだり固めたりすることによって、シート状（平面状）に形成された部材を意味する。
【００９８】
本実施形態では、後輪ホイール１４１は、チャンバー部１８０と連結部７０との間に、バルブ９０を配置するための収容空間Ｑを有する。収容空間Ｑは、チャンバー部１８０の壁部１８２，１８３の径方向内方に位置する端部と、連結部７０の径方向外方に位置する端部との間に、形成されている。収容空間Ｑは、バルブ９０を収容可能で且つバルブ９０に図示しない空気ポンプの空気注入部を装着可能な大きさを有する空間である。また、収容空間Ｑは、後輪ホイール１４１において周方向の一部のみに設けられている。
【００９９】
なお、チャンバー部１８０のバルブ取付穴１８０ａにバルブ９０を装着することにより、チャンバー部１８０内には、境界壁部８１及び壁部１８２，１８３によって区画空間Ｐが区画形成される。
【０１００】
上述のような構成によっても、バルブ９０を後輪ホイール１４１に取り付けるためのバルブ取付穴１８０ａを、境界壁部８１に設けられた通気孔８１ａとは別に設けることができる。これにより、後輪ホイール１４１の強度低下を防止できる。
【０１０１】
したがって、上述の構成によっても、強度を確保しつつ軽量化を図れるホイールが得られる。
【０１０２】
［実施形態３］
図７に、実施形態３に係る後輪ホイール２４１の断面図を示す。この実施形態３における後輪ホイール２４１は、チャンバー部２８０の構成及びバルブ１９０の取り付け構造が、実施形態１の構成とは異なる。よって、以下では、実施形態１と同様の構成には同一の符号を付して説明を省略し、異なる部分についてのみ説明する。
【０１０３】
図７に示すように、チャンバー部２８０は、横壁部２６３と、境界壁部２８１とを有する。横壁部２６３は、後輪ホイール２４１のリム２６０の径方向外方に設けられている。具体的には、横壁部２６３は、リム２６０において左右方向の中央部分で且つ径方向内方に凹んだ部分との間に区画空間Ｐを形成するように、リム２６０に対して径方向外方に位置する。リム２６０において、前記中央部分で且つ前記凹んだ部分が、チャンバー部２８０の境界壁部２８１を構成する。よって、本実施形態のチャンバー部２８０は、リム２６０の中央部分よりも径方向外方に形成されている。
【０１０４】
横壁部２６３には、バルブ１９０を取り付けるためのバルブ取付穴２６３ａが設けられている。バルブ取付穴２６３ａは、区画空間Ｐと環状空間Ｓとを接続する。境界壁部２８１には、通気孔２８１ａが形成されている。通気孔２８１ａは、区画空間Ｐと外部とを接続する。本実施形態では、通気孔２８１ａ内に、バルブ１９０の一部が挿通している。
【０１０５】
本実施形態のバルブ１９０は、バルブ本体１９１にゴム部１９２が一体形成されたバルブである。ゴム部１９２が、バルブ取付穴２６３ａの周縁部に取り付けられる。
【０１０６】
なお、リム２６０の境界壁部２８１と連結部２７０との間には、バルブ１９０の一部を収容可能で且つバルブ１９０に図示しない空気ポンプの空気注入部を装着可能な大きさを有する収容空間Ｑが設けられている。
【０１０７】
上述のような構成によっても、バルブ１９０を後輪ホイール２４１に取り付けるためのバルブ取付穴２６３ａを、境界壁部２８１に設けられた通気孔２８１ａとは別に設けることができる。これにより、後輪ホイール２４１の強度低下を防止できる。
【０１０８】
したがって、上述の構成によっても、強度を確保しつつ軽量化を図れるホイールが得られる。
【０１０９】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１１０】
前記各実施形態では、後輪ホイール４１，１４１，２４１について適用した場合について説明したが、前輪ホイールを繊維強化樹脂によって構成するとともに、前記各実施形態の構成を、前輪ホイールに適用してもよい。
【０１１１】
前記各実施形態では、後輪ホイール４１，１４１，２４１は、連結部７０，２７０が円盤状である、いわゆるディッシュホイールである。しかしながら、後輪ホイールは、連結部が複数の柱状の部材である、スポークタイプのホイールであってもよい。後輪ホイールの連結部は、ハブとチャンバー部とを連結可能な構成であれば、どのような構成を有していてもよい。
【０１１２】
前記各実施形態では、後輪ホイール４１，１４１，２４１において、左リム部６１及び右リム部６２は、左右対称の形状を有する。しかしながら、左リム部と右リム部とは左右非対称であってもよい。例えば、後輪ホイールは、径方向の断面で見て、リムにおける左右方向の中央よりも右方または左方に位置する部分に連結部が接続された構成を有していてもよい。
【０１１３】
前記各実施形態では、通気孔８１ａ，２８１ａは、後輪ホイール４１，１４１，２４１に一つ設けられている。しかしながら、通気孔は、後輪ホイールに複数設けられていてもよい。また、通気孔の大きさ及び形状も、どのような大きさ及び形状であってもよい。なお、後輪ホイールにバルブを複数取り付けてもよい。
【０１１４】
前記各実施形態では、後輪ホイール４１，１４１，２４１は、炭素繊維によって樹脂が強化された炭素繊維強化樹脂によって構成されている。しかしながら、後輪ホイールを、炭素繊維以外の繊維（例えば、アラミド繊維、ポリエチレン繊維、ガラス繊維など）によって樹脂が強化された繊維強化樹脂によって構成してもよい。また、前記各実施形態では、後輪ホイール４１，１４１，２４１は、エポキシ樹脂、ビニルエステル、フェノール樹脂、ポリアミド、ポリプロピレン、ポリフェニレンサルファイドなどの樹脂によって構成されている。樹脂は、繊維によって強化可能な樹脂であれば、他の種類の樹脂であってもよい。
【０１１５】
また、後輪ホイールは、リム及びチャンバー部が繊維強化樹脂製であれば、それら以外の部分、すなわち、ハブ及び連結部が例えば金属材料または樹脂などによって構成されていてもよい。なお、リム及びチャンバー部は、一部が金属または樹脂などによって構成されていてもよい。
【０１１６】
前記各実施形態において、炭素繊維強化樹脂に用いられる炭素繊維は、繊維同士が編まれていてもよいし、編まれていない状態であってもよい。すなわち、炭素繊維は、繊維シートでなくてもよい。また、前記各実施形態では、炭素繊維の繊維シートは、複数、積層されているが、この限りではなく、繊維シートが１枚だけであってもよい。この場合には、前記各実施形態における積層方向は、炭素繊維強化樹脂によって構成された部材の厚み方向に対応する。さらに、前記炭素繊維は、所定長さ（例えば１ｍｍ）以上、連続した繊維であってもよいし、不連続繊維であってもよい。
【０１１７】
前記各実施形態において、炭素繊維強化樹脂に用いられる繊維シートは、厚み方向に複数、積層された状態で、樹脂によって結合されている。しかしながら、前記炭素繊維強化樹脂は、繊維シートによって強化された炭素繊維強化樹脂層と、発泡合成樹脂を含む発泡樹脂層とが厚み方向に積層された複合材料によって形成されていてもよい。この複合材料は、一対の前記炭素繊維強化樹脂層を有し、それらの炭素繊維強化樹脂層の間に、前記発泡樹脂層が配置された材料である。前記複合材料を用いることにより、炭素繊維強化樹脂層のみを用いる場合に比べて、炭素繊維強化樹脂を含む各部材の軽量化を図れるとともに、前記各部材の厚みを容易に変えることができる。なお、前記発泡樹脂層の前記発泡合成樹脂として、振動を吸収可能な樹脂を用いてもよい。
【０１１８】
前記各実施形態では、後輪ホイール４１，１４１，２４１は一体で形成されている。しかしながら、後輪ホイールは、複数の部材が接着剤またはボルト等によって接続されることによって構成されていてもよい。
【０１１９】
前記実施形態１では、チャンバー部８０の区画空間Ｐは空洞である。しかしながら、区画空間Ｐ内に、発泡材料または樹脂材料などが充填されていてもよい。
【０１２０】
前記実施形態１では、チャンバー部８０は、区画空間Ｐにおける径方向の寸法が左右方向の寸法よりも大きい。しかしながら、チャンバー部は、区画空間における径方向の寸法が左右方向の寸法と同じであってもよいし、左右方向の寸法が径方向の寸法よりも大きくてもよい。
【０１２１】
前記実施形態１，２では、バルブ９０は、バルブ本体９１と、カラー９２とを有する。しかしながら、バルブは、バルブ取付穴に取り付け可能なゴム部を有していてもよい。この場合には、バルブは、カラーを有していなくてもよい。また、前記実施形態３では、バルブ１９０は、バルブ本体１９１と、ゴム部１９２とを有する。しかしながら、バルブは、ゴム部ではなく、ねじによって横壁部２６３に固定されていてもよい。前記各実施形態において、バルブは、後輪タイヤとリムとの間の環状空間に空気を供給可能な構成であれば、どのような構成を有していてもよい。
【符号の説明】
【０１２２】
１  車両
２  車体
３  前輪４  後輪
４１、１４１、２４１  後輪ホイール（ホイール）
４２  後輪タイヤ（タイヤ）
４３  後輪ブレーキディスク
４４  後輪キャリパ
５０  ハブ
５１  左ハブ部
５２  右ハブ部
６０、２６０  リム（繊維強化樹脂製リム）
６１、２６１  左リム部
６１ａ  突出部
６２、２６２  右リム部
６２ａ  突出部
７０、２７０  連結部
８０、１８０、２８０  チャンバー部（繊維強化樹脂製チャンバー部）
８１、２８１  境界壁部
８１ａ、２８１ａ  通気孔
８２、８３、１８２、１８３  壁部（縦壁部）
８２ａ、１８０ａ、２６３ａ  バルブ取付穴
８４  連結壁部
９０、１９０  バルブ
９１、１９１  バルブ本体
９２  カラー
１９２  ゴム部
２６３  横壁部
Ｓ  環状空間
Ｐ  区画空間
【図１】
2018216626.tif 000003
【図２】
2018216626.tif 000004
【図３】
2018216626.tif 000005
【図４】
2018216626.tif 000006
【図５】
2018216626.tif 000007
【図６】
2018216626.tif 000008
【図７】
2018216626.tif 000009
【国際調査報告】
2018216626.tif 000010
2018216626.tif 000011
2018216626.tif 000012